(57)【要約】【課題】外観を用途に応じて容易に変更することができる紙器、板紙セットおよび紙器の製造方法を提供する。【解決手段】紙器１は、容器本体１２と内側に容器本体１２を保持するホルダ１３と蓋体１４とを備える。容器本体１２は、耐水性を有する紙から形成され、有底筒状であって下端部から上端部に向かって筒軸方向に直交する断面積が漸増する形状を有し、筒軸方向に直交する方向へ突出する注ぎ口１２４が設けられている。ホルダ１３は、紙から形成され、筒状であって下端部から上端部に向かって筒軸方向に直交する断面積が漸増し且つ側壁に注ぎ口１２４が挿通される開口部１３３が設けられた形状を有する。蓋体１４は、紙から有底筒状に形成され、ホルダ１３の上端部に装着される。【選択図】図１
2019026300.tif 000002
【特許請求の範囲】
【請求項１】
耐水性を有する紙から形成され、有底筒状であって筒軸方向における一端部から他端部に向かって筒軸方向に直交する断面積が漸増する形状を有し、前記筒軸方向に直交する方向へ突出する注ぎ口が設けられた容器本体と、
紙から形成され、筒状であって筒軸方向における一端部から他端部に向かって筒軸方向に直交する断面積が漸増し且つ側壁に前記注ぎ口が挿通される挿通部が設けられた形状を有し、内側に前記容器本体を保持するホルダと、
紙から有底筒状に形成され、前記ホルダの前記筒軸方向における他端部に装着される蓋体と、を備える、
紙器。
【請求項２】
前記容器本体は、平面視矩形状の底壁と、前記底壁の４辺から立設する第１側壁と、前記底壁の３つの角部それぞれにおいて隣り合う２辺から立設する２つの第１側壁に連接する第２側壁と、を有し、
前記注ぎ口は、前記底壁における前記３つの角部以外の１つの角部において隣り合う２辺から立設する２つの第１側壁の間から外方へ突出している、
請求項１に記載の紙器。
【請求項３】
前記ホルダは、前記ホルダの前記他端部における前記ホルダの筒軸を挟んで対向する２箇所の間に架設され、前記ホルダの内側の前記容器本体が前記ホルダの前記一端部から外方へ離脱するのを規制するストッパを有する、
請求項１または２に記載の紙器。
【請求項４】
前記ホルダの前記他端部における前記ホルダの筒軸を挟んで対向する２箇所の間に架設された細長の把手部を更に備え、
前記蓋体は、底壁に前記把手部が挿通されるスリットが設けられている、
請求項１乃至３のいずれか１項に記載の紙器。
【請求項５】
前記容器本体の内側に配置され、前記容器本体内部を前記注ぎ口の内側に連続する第１領域と、前記第１領域以外の第２領域と、に隔てるとともに、液体を透過させるための孔が設けられたフィルタ、を更に備える、
請求項１乃至４のいずれか１項に記載の紙器。
【請求項６】
平面視矩形状の第１主片と、前記第１主片の４辺それぞれにおいて前記第１主片に連接する４つの第１側片と、前記第１主片の３つの第１角部それぞれにおいて隣り合う２辺に連接する２つの第１側片に連接し、連接する２つの第１側片それぞれとの境界に、前記第１角部から、前記第１主片の中心から離れる方向へ延在する直線状の第１折り溝が形成され、２つの前記第１折り溝の間において、前記第１角部を基点として前記第１主片の中心から離れる方向へ延在する直線状の第２折り溝が形成されるとともに、前記第２折り溝と前記第１折り溝との間において、前記第１角部を基点として前記第１主片の中心から離れる方向へ延在する直線状の第３折り溝が形成された第２側片と、前記第１主片の前記３つの第１角部以外の１つの第２角部において隣り合う２辺に連接する２つの第１側片に連接し、前記第１主片の中心から離れる方向へ突出し、連接する２つの第１側片それぞれとの境界に、前記第２角部を基点として前記第１主片の中心から離れる方向へ延在する直線状の第４折り溝が形成され、２つの前記第４折り溝の間において前記第２角部を基点として前記第１主片の中心から離れる方向へ延在する直線状の２つの第５折り溝が形成された突出片と、を有し、前記第１主片と前記第１側片との境界に、前記第１主片の４辺それぞれに沿って直線状の第６折り溝が形成されている耐水性を有する第１板紙と、
平面視四角形状であり、扇状に配列されるとともに、互いに角部において連接する４つの第２主片と、平面視三角形状であり、４つの第２主片のうちの両端それぞれに位置する第２主片と前記両端に位置する第２主片それぞれに隣り合う第２主片とに連接し、連接する２つの第２主片それぞれとの境界に、辺に沿って延在する直線状の第７折り溝が形成された２つの第１連結片と、前記４つの第２主片のうちの前記両端に位置する第２主片を除く２つの第２主片に連接し、互いに連接する２つの第２主片の角部に向かって窪んだ凹部が形成されるとともに、前記角部から前記凹部の中央部に向かって延在する２つの直線状の第８折り溝が形成された第２連結片と、前記両端の位置する第２主片のいずれか一方における前記第１連結片に連続する一辺に対向する辺に設けられ、他方の第２主片に係合する係合片と、平面視三角形状であり、前記他方の第２主片における前記第１連結片に連続する一辺に対向する辺に連接し、連接する第２主片との境界に、辺に沿って延在する直線状の第９折り溝が形成されるとともに、前記係合片が係合するスリットが形成された第３連結片と、を有する第２板紙と、
平面視八角形状の第３主片と、前記第３主片における、互いに隣接しない４辺それぞれに連接する４つの第４側片と、前記第３主片の周方向において隣り合う２つの第４側片のいずれか一方から延出する第５延出片と、他方の第４側片に設けられ前記第５延出片に係合する係合片と、を有し、前記第３主片と前記第４側片との境界に、前記第３主片の辺に沿って直線状の第１０折り溝が形成されている第３板紙と、を備える
板紙セット。
【請求項７】
前記第２板紙は、前記２つの第１連結片それぞれにおける、連接する２つの第２主片に連続する２辺を除く一辺から延出し先端部に係合スリットが形成された２つの第１延出片を有し、
前記２つの第１延出片は、前記係合スリット同士が係合可能である、
請求項６に記載の板紙セット。
【請求項８】
前記第２板紙は、
４つの第２主片のうちの前記両端に位置する主片を除く２つの主片のうちのいずれか一方における、前記第２連結片に連続する辺の、互いに連接する２つの第２主片の角部側とは反対側から延出し先端部に係合スリットが設けられるとともに、長尺の把手片の一端部が係合する第１係合孔が設けられた第３延出片と、
前記２つの第２主片のうちの他方における、前記第２連結片に連続する辺の、互いに連接する２つの第２主片の角部側とは反対側に設けられ前記係合スリットに係合する係合片と、
前記第３連結片から延出し、前記把手片の他端部が係合する第２係合孔が設けられた第４延出片と、を有する、
請求項６または７に記載の板紙セット。
【請求項９】
請求項６に記載の板紙セットを用いた紙器の製造方法であって、
前記第２側片における、互いに隣り合う第１折り溝と第２折り溝とで囲まれた部分が第１側片に対向し、且つ、第１折り溝と第３折り溝とが重なるように、前記第１板紙を前記第１折り溝、前記第２折り溝、前記第３折り溝および前記第６折り溝に沿って折る第１工程と、
前記突出片の先端部が外方へ突出するように、前記第４折り溝および前記第５折り溝に沿って前記第１板紙を折ることにより有底筒状であって筒軸方向における一端部から他端部に向かって筒軸方向に直交する断面積が漸増する形状を有する容器本体を形成する第２工程と、
前記第２連結片が外方へ突出するように、前記第７折り溝、前記第８折り溝および前記第９折り溝に沿って前記第２板紙を折る第３工程と、
前記係合片を前記スリットに係合させることにより筒状であって筒軸方向における一端部から他端部に向かって筒軸方向に直交する断面積が漸増する形状を有するホルダを形成する第４工程と、
前記第１０折り溝に沿って前記第３板紙を折る第５工程と、
前記第５延出片に前記係合片を係合させることにより有底筒状の蓋体を形成する第６工程と、
前記ホルダの筒軸方向の前記他端部側から前記容器本体を挿入し前記容器本体を前記容器本体の前記一端部が前記ホルダの前記一端部側に位置するように前記ホルダの内側に配置する第７工程と、を含む、
紙器の製造方法。
【請求項１０】
前記第２板紙は、前記第２主片における、前記第１連結片、前記第２連結片または前記第３連結片に連続する辺、または、前記係合片が設けられる辺を除く辺から延出し、前記第２主片との境界に、辺に沿って延在する第１１折り溝が形成された第２延出片を有し、
前記第３工程において、更に、前記第１１折り溝に沿って前記第２延出片を折り返す、
請求項９に記載の紙器の製造方法。
【請求項１１】
前記第２板紙は、
４つの第２主片のうちの前記両端に位置する第２主片を除く２つの第２主片のうちのいずれか一方における、前記第２連結片に連続する辺の、互いに連接する２つの第２主片の角部側とは反対側から延出し先端部に係合スリットが設けられるとともに、第１把手片が係合する第１係合孔が設けられた第３延出片と、
前記２つの第２主片のうちの他方における、前記第２連結片に連続する辺の、互いに連接する２つの第２主片の角部側とは反対側に設けられ前記係合スリットに係合する係合片と、
前記第３連結片から延出し、前記第３連結片との境界に、第２把手片が係合する第２係合孔が設けられた第４延出片と、を有し、
前記係合スリットを前記係合片に係合させる第８工程と、
前記第１把手片を前記第１係合孔に係合させるとともに、前記第２把手片を前記第２係合孔に係合させる第９工程と、を更に含む、
請求項９または１０に記載の紙器の製造方法。
【発明の詳細な説明】
【技術分野】
【０００１】
本発明は、紙器、板紙セットおよび紙器の製造方法に関する。
【背景技術】
【０００２】
内側に液体を入れて使用することができる紙器が提案されている（例えば特許文献１参照）。この紙器は、耐水性を有する紙から形成された一面が解放された矩形箱状の紙器本体と、紙器本体の互いに対向する２つの壁の間に架設された帯状の把手部と、を備えるものである。
【先行技術文献】
【特許文献】
【０００３】
【特許文献１】特開２０１２−２３６６３４号公報
【発明の概要】
【発明が解決しようとする課題】
【０００４】
ところで、特許文献１に記載された紙器は、例えばお茶、紅茶等の販売促進期間中に、お茶、紅茶等のサンプル品と一緒に顧客へ配布するために使用される場合がある。この場合、紙器は、その紙器本体の外壁にお茶、紅茶等の広告用の絵柄等を印刷して使用されることが多い。しかしながら、特許文献１に記載された紙器の場合、広告用の絵柄を紙器本体の外壁に直接印刷することになるため、例えば販売促進期間終了後に紙器が配布されずに残った場合、他の商品の販売促進に使い回すことが難しく廃棄せざるを得ない場合がある。即ち、ある一の用途に応じて紙器本体の外壁に印刷を施すことにより紙器の外観を決定すると、その後、他の用途に応じて紙器の外観を変更することが難しい。
【０００５】
本発明は、上記事由に鑑みてなされたものであり、外観を用途に応じて容易に変更することができる紙器、板紙セットおよび紙器の製造方法を提供することを目的とする。
【課題を解決するための手段】
【０００６】
本発明に係る紙器は、
耐水性を有する紙から形成され、有底筒状であって筒軸方向における一端部から他端部に向かって筒軸方向に直交する断面積が漸増する形状を有し、前記筒軸方向に直交する方向へ突出する注ぎ口が設けられた容器本体と、
紙から形成され、筒状であって筒軸方向における一端部から他端部に向かって筒軸方向に直交する断面積が漸増し且つ側壁に前記注ぎ口が挿通される切欠部が設けられた形状を有し、内側に前記容器本体を保持するホルダと、
紙から有底筒状に形成され、前記ホルダの前記筒軸方向における他端部に装着される蓋体と、を備える。
【発明の効果】
【０００７】
本発明によれば、容器本体の外観を変更せずに、内側に容器本体を保持するホルダの外観または蓋体の外観を変更するだけで、紙器全体の外観を変更することができるので、紙器の外観を用途に応じて容易に変更することができるという利点がある。
【図面の簡単な説明】
【０００８】
【図１】本発明の実施の形態１に係る紙器の斜視図である。
【図２】（Ａ）は実施の形態１に係る容器本体の斜視図であり、（Ｂ）は実施の形態１に係る紙器について蓋体を開いた状態を示す斜視図である。
【図３】（Ａ）は実施の形態１に係る容器本体の基となる板紙の展開図であり、（Ｂ）は実施の形態１に係るホルダの基となる板紙の展開図である。
【図４】（Ａ）は実施の形態１に係る蓋体の基となる板紙の展開図であり、（Ｂ）はフィルタの基となる板紙の展開図であり、（Ｃ）は第１把手片、第２把手片を示す平面図である。
【図５】（Ａ）は本発明の実施の形態２に係る紙器の斜視図であり、（Ｂ）は実施の形態２に係る紙器について蓋体を開いた状態を示す斜視図である。
【図６】（Ａ）は実施の形態２に係るホルダの基となる板紙の展開図であり、（Ｂ）は実施の形態２に係るホルダの基となる他の板紙の展開図である。
【図７】（Ａ）は実施の形態２に係る蓋体の基となる板紙の展開図であり、（Ｂ）は把手片の展開図であり、（Ｃ）はフィルタの基となる板紙の展開図である。
【発明を実施するための形態】
【０００９】
（実施の形態１）
以下、本発明の一実施の形態に係る紙器について図面を参照して詳細に説明する。本実施の形態に係る紙器は、お茶、紅茶等を入れて使用するティーポットである。図１に示すように、本実施の形態に係る紙器１は、耐水性を有する紙から形成された容器本体１２と、紙から形成され内側に容器本体１２を保持するホルダ１３と、紙から形成された蓋体１４と、を備える。また、紙器１は、更に、耐水性を有する紙から形成され容器本体１２の内側に配置されるフィルタ１５と、紙器１を持ち上げる際に把持される把手部１６と、を備える。
【００１０】
容器本体１２は、図２（Ａ）に示すように、有底筒状であって筒軸Ｊ１方向における一端部（下端部）から他端部（上端部）に向かって筒軸Ｊ１方向に直交する断面積が漸増する形状を有する。また、容器本体１２には、その筒軸Ｊ１方向に直交する方向へ突出する注ぎ口１２４が設けられている。容器本体１２は、平面視矩形状の底壁１２１と、底壁１２１の４辺から立設する平面視矩形状の側壁（第１側壁）１２２と、底壁１２１の３つの角部Ｃ１それぞれにおいて隣り合う２辺から立設する２つの側壁１２２に連接する平面視三角形状の側壁（第２側壁）１２３と、を有する。注ぎ口１２４は、底壁１２１における３つの角部Ｃ１以外の１つの角部Ｃ２において隣り合う２辺から立設する２つの側壁１２２の間から外方へ突出している。
【００１１】
ホルダ１３は、図２（Ｂ）に示すように、筒状であって筒軸Ｊ２方向における一端部（下端部）から他端部（上端部）に向かって筒軸Ｊ２方向に直交する断面積が漸増している。また、ホルダ１３は、側壁１３２に容器本体１２の注ぎ口１２４が挿通される開口部（挿通部）１３３が設けられた形状を有する。また、ホルダ１３は、ホルダ１３の上端部におけるホルダ１３の筒軸Ｊ２を挟んで対向する２箇所の間に架設され、ホルダ１３の内側の容器本体１２がホルダ１３の上端部から外方へ離脱するのを規制するストッパ１３１を有する。ストッパ１３１は、２つの延出片（第１延出片）１１３６を有する。
【００１２】
把手部１６は、図１に示すように、ホルダ１３の上端部におけるホルダ１３の筒軸Ｊ２を挟んで対向する２箇所の間に架設されている。把手部１６は、図２（Ｂ）に示すように、長尺の第１把手片１６１と第２把手片１６２とを有する。第１把手片１６１は、長手方向における一端部がホルダ１３の側壁１３２における開口部１３３の上側に設けられたスリット１３２ａに固定され、他端部に係合スリット１６１ａが設けられている。第２把手片１６２は、長手方向における一端部がホルダ１３の側壁１３２における、開口部１３３と筒軸Ｊ２を挟んで対向する部分の上端部に設けられたスリット１３２ｂに固定され、他端部に係合スリット１６２ａが設けられている。図１に示すように、把手部１６は、係合スリット１６１ａ、１６２ａ同士が互いに係合した状態で使用される。
【００１３】
蓋体１４は、有底筒状に形成され、ホルダ１３の筒軸Ｊ２方向における他端部（上端部）に装着される。蓋体１４は、平面視八角形状の底壁１４１と、底壁１４１における筒軸Ｊ３を挟んで対向する２対の辺から筒軸Ｊ３方向へ延出する側壁（第３側壁）１４２と、底壁１４１における側壁１４２に連続する辺以外の辺から筒軸Ｊ３方向へ延出する側壁（第４側壁）１４３と、を有する。底壁１４１には、容器本体１２内に入っている温かいお茶、紅茶等の湯気を外方へ放出するための放出孔１４４が設けられている。また、底壁１４１には、ホルダ１３に固定された把手部１６が挿通されるスリット１４１ａ、１４１ｂが設けられている。
【００１４】
フィルタ１５は、液体を透過させるための複数の孔１５ａが設けられた板状であり、容器本体１２内部を注ぎ口１２４の内側に連続する第１領域Ｓ１と、第１領域Ｓ１以外の第２領域Ｓ２と、に隔てる。
【００１５】
次に、本実施の形態に係る紙器１を製造するために使用される板紙セットについて説明する。板紙セットは、図３および図４に示すように、板紙１０１２、１０１３、１０１４、１０１５と、第１把手片１６１と、第２把手片１６２と、を備える。なお、図３および図４において、破線は山折りの折り溝を示し、二点鎖線は谷折りの折り溝を示す。板紙（第１板紙）１０１２は、容器本体１２の基となるものであり、耐水性を有する紙から形成されている。板紙１０１２は、図３（Ａ）に示すように、平面視矩形状の主片（第１主片）１１２１と、４つの側片（第１側片）１１２２と、３つの側片（第２側片）１１２３と、突出片１１２４と、を有する。
【００１６】
側片１１２２は、主片１１２１の４辺それぞれにおいて主片１１２１に連接している。側片１１２３は、主片１１２１の３つの角部（第１角部）Ｃ１それぞれにおいて隣り合う２辺に連接する２つの側片１１２２に連接している。また、側片１１２３とそれに連接する２つの第１側片１１２２それぞれとの境界には、角部Ｃ１を基点として主片１１２１の中心Ｃ０から離れる方向へ延在する直線状の折り溝（第１折り溝）Ｇ１が形成されている。更に、側片１１２３には、２つの折り溝Ｇ１の間において、角部Ｃ１を基点として主片１１２１の中心Ｃ０から離れる方向へ延在する直線状の折り溝（第２折り溝）Ｇ２が形成されている。また、側片１１２３には、折り溝Ｇ１、Ｇ２の間において、角部Ｃ１を基点として主片１１２１の中心Ｃ０から離れる方向へ延在する直線状の折り溝（第３折り溝）Ｇ３が形成されている。更に、４つの側片１１２２のうちの３つの側片１１２２には、主片１１２１に連続する辺に対向する片から延出する舌片１１２５が設けられている。そして、側片１１２２と舌片１１２５との境界には、スリット１１２２ａが形成されている。また、側片１１２３の周縁における折り溝Ｇ２を挟んだ両側には、突起部１１２３ａが設けられている。
【００１７】
突出片１１２４は、主片１１２１の３つの角部Ｃ１以外の１つの角部（第２角部）Ｃ２において隣り合う２辺に連接する２つの側片１１２２に連接している。突出片１１２４は、主片１１２１の中心Ｃ０から離れる方向へ突出している。突出片１１２４とそれに連接する２つの側片１１２２それぞれとの境界には、角部Ｃ２を基点として主片１１２１の中心Ｃ０から離れる方向へ延在する直線状の折り溝（第４折り溝）Ｇ４が形成されている。また、突出片１１２４には、２つの折り溝Ｇ４の間において、角部Ｃ２を基点として主片１１２１の中心Ｃ０から離れる方向へ延在する直線状の２つの折り溝（第５折り溝）Ｇ５が形成されている。また、主片１１２１と側片１１２２との境界には、主片１１２１の４辺それぞれに沿って直線状の折り溝（第６折り溝）Ｇ６が形成されている。
【００１８】
板紙（第２板紙）１０１３は、ホルダ１３の基となるものであり、紙から形成されている。板紙１０１３は、図３（Ｂ）に示すように、４つの主片（第２主片）１１３１と、連結片１１３２、１１３３、１１３５と、係合片１１３４と、を有する。４つの主片１１３１は、平面視四角形状であり、扇状に配列されるとともに、互いに角部Ｃ３において連接している。連結片（第１連結片）１１３２は、平面視三角形状であり、図３（Ｂ）の両端それぞれに位置する主片１１３１とそれと隣り合う主片１１３１とに連接している。第１連結片１１３２とそれに連接する２つの主片１１３１それぞれとの境界には、辺に沿って延在する直線状の折り溝（第７折り溝）Ｇ７が形成されている。連結片（第２連結片）１１３３は、図３（Ｂ）の両端に位置する主片１１３１を除く２つの主片１１３１に連接し、角部Ｃ３に向かって窪んだ凹部１１３３ａが形成されている。また、連結片１１３３には、角部Ｃ３を基点として凹部１１３３ａの中央部に向かって延在する２つの直線状の折り溝（第８折り溝）Ｇ８が形成されている。係合片１１３４は、図３（Ｂ）の左端に位置する主片１１３１における連結片１１３２に連続する一辺に対向する辺に設けられている。連結片（第３連結片）１１３５は、平面視三角形状であり、図３（Ｂ）の右端に位置する主片１１３１における連結片１１３２に連続する一辺に対向する辺に連接している。連結片１１３５とこれに連接する主片１１３１との境界には、辺に沿って延在する直線状の折り溝（第９折り溝）Ｇ９が形成されている。また、連結片１１３５には、係合片１１３４が係合するスリット１１３５ａが形成されている。
【００１９】
また、板紙１０１３は、２つの連結片１１３２それぞれにおける、連接する２つの主片１１３１に連続する２辺を除く一辺から延出する延出片（第１延出片）１１３６を有する。延出片１１３６の先端部には、係合スリット１１３６ａが形成されている。そして、２つの延出片１１３６の先端部の係合スリット１１３６ａ同士が互いに係合可能となっている。また、板紙１０１３は、主片１１３１における、連結片１１３２、１１３３、１１３５に連続する辺、または、係合片１１３４が設けられる辺を除く辺から延出する延出片（第２延出片）１１３７を有する。延出片１１３７と主片１１３１との境界には、辺に沿って延在する折り溝（第１１折り溝）Ｇ１１が形成されている。更に、板紙１０１３は、延出片１１３８、１１４０と、係合片１１３９と、を有する。延出片（第３延出片）１１３８は、図３（Ｂ）における両端に位置する主片１１３１を除く２つの主片１１３１のうちの一方の、連結片１１３３に連続する辺の角部Ｃ３側とは反対側から延出している。延出片１１３８の先端部には、係合スリット１１３８ａが設けられるとともに、長尺の第１把手片１６１が係合する係合孔（第１係合孔）１１３８ｂが設けられている。係合片１１３９は、２つの主片１１３１のうちの他方における、連結片１１３３に連続する辺の角部Ｃ３側とは反対側に設けられ、係合スリット１１３８ａに係合する。延出片（第４延出片）１１４０は、連結片１１３５から延出している。延出片１１４０と連結片１１３５との境界には、第２把手片１６２が係合する係合孔（第２係合孔）１１４０ａが設けられている。
【００２０】
板紙（第３板紙）１０１４は、蓋体１４の基となるものであり、紙から形成されている。板紙１０１４は、図４（Ａ）に示すように、平面視八角形状の主片（第３主片）１１４１と、４つの側片（第４側片）１１４２と、延出片（第５延出片）１１４３、１１４５と、係合片１１４４、１１４６と、を有する。主片１１４１には、平面視円形の放出孔１４４が形成されている。側片１１４２は、主片１１４１における互いに隣接しない４辺それぞれに連接している。延出片１１４３、１１４５は、主片１１４１の周方向において隣り合う２つの側片１１４２のいずれか一方から延出している。係合片１１４４、１１４６は、主片１１４１の周方向において隣り合う２つの側片１１４２のうちの他方に設けられ、延出片１１４３、１１４５に係合する。主片１１４１と側片１１４２との境界には、主片１１４１の辺に沿って直線状の折り溝（第１０折り溝）Ｇ１０が形成されている。
【００２１】
板紙（第４板紙）１０１５は、フィルタ１５の基となるものであり、耐水性を有する紙から形成されている。板紙１０１５は、図４（Ｂ）に示すように、平面視三角形状の主片（第４主片）１１５１と、主片１１５１の２辺それぞれで連接する２つの側片（第５側片）１１５２と、を有する。主片１１５１と側片１１５２との境界には、辺に沿って直線状の折り溝Ｇ１２が形成されている。
【００２２】
第１把手片１６１は、図４（Ｃ）に示すように、長尺であり、長手方向の一端部に係合スリット１６１ａが形成され、他端部に係合孔１１３８ｂに係合する係合部１６１ｂが形成されている。また、第２把手片１６２は、長尺であり、長手方向の一端部に係合スリット１６２ａが形成され、他端部に係合孔１１４０ａに係合する係合部１６２ｂが形成されている。
【００２３】
次に、本実施の形態に係る板紙セットを用いて紙器１を製造する方法について説明する。まず、図３（Ａ）に示す板紙１０１２について、側片１１２３における、互いに隣り合う折り溝Ｇ１、Ｇ２とで囲まれた部分が側片１１２２に対向し、且つ、折り溝Ｇ１、Ｇ３とが重なるように、板紙１０１２を折り溝Ｇ１、Ｇ２、Ｇ３、Ｇ６に沿って折る（第１工程）。このとき、各側片１１２３において２つの突起部１１２３ａが重なった状態となる。
【００２４】
次に、板紙１０１２の突出片１１２４の先端部が外方へ突出するように、折り溝Ｇ４、Ｇ５に沿って板紙１０１２を折る（第２工程）。そして、舌片１１２５を側片１１２２の外壁側へ折り返すことにより、突起部１１２３ａをスリット１１２２ａに係合させる。これにより、図２（Ａ）に示すような容器本体１２が形成される。
【００２５】
続いて、図３（Ｂ）に示す板紙１０１３を、折り溝Ｇ１１に沿って折る。そして、連結片１１３３が外方へ突出するように、板紙１０１３を折り溝Ｇ７、Ｇ８に沿って折る（第３工程）。
【００２６】
その後、板紙１０１３の係合片１１３４を、スリット１１３５ａに係合させる（第４工程）。次に、延出片１１３８の先端部の係合スリット１１３８ａを、係合片１１３９に係合させる（第８工程）。これにより、図２（Ｂ）に示すようなホルダ１３が形成される。
【００２７】
続いて、第１把手片１６１を、延出片１１３８の係合孔１１３８ｂに係合させるとともに、第２把手片１６２を、延出片１１４０の係合孔１１４０ａに係合させる（第９工程）。これにより、図２（Ｂ）に示すように、第１把手片１６１と第２把手片１６２とが、ホルダ１３に取り付けられた状態となる。
【００２８】
その後、図４（Ａ）に示す板紙１０１４を、折り溝Ｇ１０に沿って折る（第５工程）。続いて、板紙１０１４の延出片１１４３、１１４５の係合スリット１１４３ａ、１１４５ａを、係合片１１４４、１１４６に係合させる（第６工程）。これにより、図１および図２（Ｂ）に示すような蓋体１４が形成される。
【００２９】
次に、図２（Ｂ）に示すように、ホルダ１３の上端部側から容器本体１２を挿入し、容器本体１２を容器本体１２の下端部がホルダ１３の下端部側に位置するようにホルダ１３の内側に配置する（第７工程）。
【００３０】
続いて、図４（Ｂ）に示す板紙１０１５を、折り溝Ｇ１２に沿って折ることによりフィルタ１５を形成し、そのフィルタ１５を図２（Ｂ）に示すように容器本体１２の内側に配置する。
【００３１】
その後、２つの延出片１１３６の係合スリット１１３６ａ同士を係合させる。次に、第１把手片１６１を蓋体１４のスリット１４１ａに挿通させるとともに、第２把手片１６２を蓋体１４のスリット１４１ｂに挿通させる。続いて、第１把手片１６１の係合スリット１６１ａと第２把手片１６２の係合スリット１６２ａとを係合させる。これにより、図１に示すような紙器１が完成する。
【００３２】
以上説明したように、本実施の形態に係る紙器１によれば、容器本体１２の外観を変更せずに、内側に容器本体１２を保持するホルダ１３の外観または蓋体１４の外観を変更するだけで、紙器１全体の外観を変更することができる。従って、紙器１の外観を用途に応じて容易に変更することができるという利点がある。
【００３３】
また、本実施の形態に係るホルダ１３は、底壁が無い筒状である。従って、ホルダ１３の基となる板紙１０１３に使用する紙の量を低減できるので、その分、軽量化および材料コスト削減を図ることができる。更に、ホルダ１３が底壁の無い筒状であることにより、例えば有底筒状のホルダに比べて組み立て易いという利点もある。
【００３４】
また、本実施の形態に係るホルダ１３は、内側に配置された容器本体１２がホルダ１３の上端部から外方へ離脱するのを規制するストッパ１３１を有する。これにより、紙器１を傾けたときにおける、容器本体１２のホルダ１３からの脱落を防止できる。
【００３５】
更に、本実施の形態に係る蓋体１４は、その底壁１４１に第１把手部１６１が挿通されるスリット１４１ａ、１４１ｂが設けられている。これにより、第１把手部１６１をスリット１４１ａ、１４１ｂに挿通させることにより、蓋体１４をホルダ１３の上端部に堅固に装着することができる。
【００３６】
また、本実施の形態に係る紙器１は、容器本体１２の内側に配置され、容器本体１２内部を注ぎ口１２４の内側に連続する第１領域Ｓ１と、第２領域Ｓ２と、に隔てるフィルタ１５を備えている。これにより、例えば容器本体１２内部の第２領域Ｓ２に、お茶、紅茶等の茶葉を入れてから容器本体１２に湯または水を入れて使用することができる。
【００３７】
（実施の形態２）
本実施の形態に係る紙器は、実施の形態１に係る紙器と同様に、お茶、紅茶等を入れて使用するティーポットである。図５（Ａ）に示すように、本実施の形態に係る紙器２は、耐水性を有する紙から形成された容器本体１２と、紙から形成され内側に容器本体１２を保持するホルダ２３と、紙から形成された蓋体２４と、を備える。なお、図５（Ａ）において、実施の形態１と同様の構成については図１と同一の符号を付している。また、紙器２は、更に、耐水性を有する紙から形成され容器本体１２の内側に配置されるフィルタ２５を備える。
【００３８】
ホルダ２３は、図５（Ｂ）に示すように、筒状であって筒軸Ｊ２２方向における一端部（下端部）から他端部（上端部）に向かって筒軸Ｊ２２方向に直交する断面積が漸増している。また、ホルダ２３は、側壁２３２に容器本体１２の注ぎ口１２４が内側に配置される切欠部２３３が設けられた形状を有する。また、ホルダ２３は、ホルダ２３の上端部におけるホルダ２３の筒軸Ｊ２２を挟んで対向する２箇所の間に架設され、ホルダ２３の内側の容器本体１２がホルダ２３の上端部から外方へ離脱するのを規制するストッパ２３１を有する。ストッパ２３１は、２つの延出片２１３６からなる。また、ホルダ２３における筒軸Ｊ２２を挟んで切欠部２３３と対向する部分には、外方へ突出する把手部２６２が設けられている。
【００３９】
蓋体２４は、有底筒状に形成され、ホルダ２３の筒軸Ｊ２２方向における他端部（上端部）に装着される。より詳細には、蓋体２４は、図５（Ａ）に示すように、平面視八角形状の底壁２４１と、底壁２４１における筒軸Ｊ２３を挟んで対向する２対の辺から筒軸Ｊ２３方向へ延出する側壁２４２と、底壁２４１における側壁２４２に連続する辺以外の辺から筒軸Ｊ２３方向へ延出する側壁２４３と、を有する。底壁２４１の中央部には、把手部２６１が設けられている。また、底壁２４１には、湯気を外方へ放出するための放出孔２４４も設けられている。
【００４０】
フィルタ２５は、実施の形態１に係るフィルタ１５と同様に、液体を透過させるための複数の孔２５ａが設けられており、容器本体１２内部を注ぎ口１２４の内側に連続する第１領域Ｓ１と、第１領域Ｓ１以外の第２領域Ｓ２と、に隔てる。
【００４１】
次に、本実施の形態に係る紙器２を製造するために使用される板紙セットについて説明する。板紙セットは、図３（Ａ）に示す板紙１０１２の他に、図６および図７に示すような、板紙２０１３、２０１４、２０１５、２０１７と、把手片２１０６と、を備える。なお、図６および図７において、破線は山折りの折り溝を示し、二点鎖線は谷折りの折り溝を示す。板紙２０１３、２０１７は、ホルダ２３の基となるものであり、紙から形成されている。板紙２０１３は、図６（Ａ）に示すように、２つの主片２１３１と、連結片２１３３と、を有する。２つの主片２１３１は、平面視四角形状であり、互いに角部Ｃ２３において連接している。連結片２１３３は、２つの主片２１３１に連接している。主片２１３１と連結片２１３３との間の境界には、辺に沿って延在する折り溝Ｇ２６が形成されている。また、連結片２１３３には、角部Ｃ２３から角部Ｃ２３から離れる方向へ延在する２つの直線状の折り溝Ｇ２７が形成されている。また、板紙２０１３は、主片２１３１における連結片２１３３に連続する辺に対向する辺から延出する延出片２１３４と、連結片２１３３および延出片２１３４それぞれに連続する辺と交差する辺から延出する延出片２１３５と、を有する。主片２１３１と延出片２１３５との境界には、辺に沿って延在する折り溝Ｇ２１０が形成されている。また、主片２１３１と延出片２１３４との境界には、辺に沿って延在する折り溝Ｇ２１１が形成されている。更に、主片２１３１における延出片２１３４との境界近傍には、スリット２１３１ａが形成されている。
【００４２】
板紙２０１７は、図６（Ｂ）に示すように、２つの主片２１７１と、連結片２１７２、２１７３と、係合片２１７４、２１７５と、把手片２１７６と、を有する。２つの主片２１７１は、平面視四角形状であり、把手片２１７６を介して接続されている。連結片２１７２は、平面視三角形状であり、２つの主片２１７１それぞれにおける把手片２１７６に連続する辺に対向する辺で主片２１７１に連接している。連結片２１７２と主片２１７１との境界には、辺に沿って延在する直線状の折り溝Ｇ２１５が形成されている。連結片２１７３は、２つの主片２１７１のいずれか一方における把手片２１７６に連続する辺と同じ辺において主片２１７１に連接している。連結片２１７３と主片２１７１との境界には、辺に沿って延在する直線状の折り溝Ｇ２１３が形成されている。係合片２１７４は、連結片２１７２に連接している。また、板紙２０１７は、２つの連結片２１７２それぞれにおける、主片２１７１および係合片２１７４に連続する２辺を除く一辺から延出する延出片２１７８を有する。２つの延出片２１７８それぞれの先端部には、互いに係合可能な係合スリット２１７８ａが形成されている。更に、板紙２０１７は、主片２１７１における、連結片２１７２または把手片２１７６に連続する辺を除く辺から延出する延出片２１７７を有する。延出片２１７７と主片２１７１との境界には、辺に沿って延在する折り溝Ｇ２１２が形成されている。また、板紙２０１７は、２つ主片２１７１の他方における把手片２１７６に連続する辺と同じ辺から延出する延出片２１７９を有する。主片２１７１と延出片２１７９との境界には、辺に沿って延在する直線状の折り溝Ｇ２１４が形成されている。そして、主片２１７１における延出片２１７９との境界近傍には、スリット２１７１ａが形成されている。また、把持片２１７６の中央部には、折り溝Ｇ２２０が形成されている。
【００４３】
板紙２０１４は、蓋体２４の基となるものであり、紙から形成されている。板紙２０１４は、図７（Ａ）に示すように、平面視八角形状の主片２１４１と、４つの側片２１４２と、延出片２１４３と、を有する。主片２１４１には、平面視円形の放出孔２４４が形成されている。また、主片２１４１には、２つのスリット２１４１ａが形成されている。側片２１４２は、主片２１４１における、互いに隣接しない４辺それぞれに連接している。延出片２１４３は、２つの側片２１４２それぞれから延出している。係合片２１４４は、延出片２１４３が延出する側片２１４２に、主片２１４１の周方向において隣り合う側片２１４２に設けられ、延出片２１４３に係合する。主片２１４１と側片２１４２との境界には、主片２１４１の辺に沿って直線状の折り溝Ｇ２９が形成されている。
【００４４】
把手片２０１６は、図７（Ｂ）に示すように、主片２１６１と、主片２１６１の両端部それぞれから延出する延出片２１６２と、延出片２１６２の先端部に設けられた係合片２１６３と、を有する。主片２１６１の中央部には、主片２１６１の短手方向に沿って延在する直線状の折り溝Ｇ２１６が形成されている。また、主片２１６１と延出片２１６２との境界には、直線状の折溝Ｇ２１７が形成されている。
【００４５】
板紙２０１５は、フィルタ２５の基となるものであり、耐水性を有する紙から形成されている。板紙２０１５は、図７（Ｃ）に示すように、平面視三角形状の主片２１５１と、主片２１５１の２辺それぞれで連接する２つの側片２１５２と、主片２１５１における側片２１５２に連続する辺を除く片から延出する延出片２１５３と、を有する。主片２１５１には、孔２５ａが形成されており、延出片２１５３にも、孔２１５３ａが形成されている。延出片２１５３における主片２１５１に連続する辺以外の２つの辺には、突起部２１５３ｂが設けられている。主片２１５１と側片２１５２との境界には、辺に沿って直線状の折り溝Ｇ２２１が形成されている。また、主片２１５１と延出片２１５３との境界にも、辺に沿って直線状の折り溝Ｇ２１８が形成されている。また、板紙２０１５は、２つの側片２１５２の一方から延出片２１５３の延出方向とは反対方向へ延出する平面視三角形状の延出片２１５４と、２つの側片２１５２の他方から延出片２１５４と同じ方向へ延出する延出片２１５５と、を有する。そして、延出片２１５４には、係合片２１５６が設けられている。側片２１５２と延出片２１５４、２１５５との境界には、辺に沿って直線状の折り溝Ｇ２１９が形成されている。また、側片２１５２における主片２１５１との境界近傍には、スリット２１５２ａが形成されている。更に、側片２１５２における延出片２１５５との境界近傍にも、スリット２１５２ｂが形成されている。
【００４６】
次に、本実施の形態に係る板紙セットを用いて紙器２を製造する方法について説明する。まず、図３（Ａ）に示す板紙１０１２について、実施の形態１で説明した方法と同様の方法により、図２（Ａ）に示すような容器本体１２を形成する。
【００４７】
次に、図６（Ａ）に示す板紙２０１３の延出片２１３４、２１３５を、それぞれ折り溝Ｇ２１０、Ｇ２１１に沿って折り返す。そして、連結片２１３３が外方へ突出するように、板紙２０１３を、折り溝Ｇ２６および折り溝Ｇ２７に沿って折る。また、図６（Ｂ）に示す板紙２０１７の延出片２１７７を、それぞれ折り溝Ｇ２１２に沿って折り返す。そして、板紙２０１７の延出片２１７９を折り溝Ｇ２１４に沿って折り返してから、板紙２０１７の把手片２１７６を、折り溝Ｇ２２０に沿って折る。そして、係合片２１７５をスリット２１７１ａに係合させる。
【００４８】
続いて、板紙２０１７の係合片２１７４を、板紙２０１３のスリット２１３１ａに係合させる。これにより、図５（Ｂ）に示すようなホルダ２３が形成される。
【００４９】
その後、図７（Ａ）に示す板紙２０１４を、折り溝Ｇ２９に沿って折る。次に、板紙２０１４の延出片２１４３の係合スリット２１４３ａを、係合片２１４４に係合させる。続いて、図７（Ｂ）に示す把手片２０１６を折り溝Ｇ２１６に沿って折った後、把手片２０１６の係合片２１６３を、板紙２０１４の主片２１４１のスリット２１４１ａに係合させる。これにより、図５（Ａ）に示すような蓋体２４が形成される。
【００５０】
その後、図５（Ｂ）に示すように、ホルダ２３の上端部側から容器本体１２を挿入し、容器本体１２を容器本体１２の下端部がホルダ２３の下端部側に位置するようにホルダ２３の内側に配置する。
【００５１】
次に、図７（Ｃ）に示す板紙２０１５の延出片２１５３を、折り溝Ｇ２１８に沿って折り返し、突起部２１５３ｂをスリット２１５２ａに係合させる。続いて、板紙２０１５を折り溝Ｇ２２１、Ｇ２１９に沿って折り、係合片２１５６をスリット２１５２ｂに係合させる。これにより、図５（Ｂ）に示すようなフィルタ２５が形成される。そして、フィルタ２５を容器本体１２の内側に配置する。
【００５２】
その後、２つの延出片２１７８の係合スリット２１７８ａ同士を係合させてから、蓋体２４をホルダ２３に装着する。これにより、図５（Ａ）に示すような紙器２が完成する。
【００５３】
以上説明したように、本実施の形態に係る紙器２によれば、実施の形態１に係る紙器１と同様に、容器本体１２の外観を変更せずに、内側に容器本体１２を保持するホルダ２３の外観または蓋体２４の外観を変更するだけで、紙器２全体の外観を変更することができる。従って、実施の形態１に係る紙器１と同様に、紙器２の外観を用途に応じて容易に変更することができるという利点がある。
【００５４】
（変形例）
以上、本発明の各実施の形態について説明したが、本発明は前述の実施の形態の構成に限定されるものではない。例えば、容器本体が、有底円筒状であり、筒軸方向における一端部から他端部に向かって拡径する形状を有し、ホルダが、筒状であって筒軸方向における一端部から他端部に向かって拡径する形状を有するものであってもよい。
【００５５】
実施の形態２では、注ぎ口１２４と把手部２６２とがホルダ２３の筒軸Ｊ２２を挟んで対向している紙器２について説明したが、注ぎ口１２４と把手部２６２との位置関係は、これに限定されるものではない。例えば、把手部が、注ぎ口１２４の突出方向に対して直交する方向に突出するようにホルダ２３に設けられた構成であってもよい。
【００５６】
各実施の形態では、フィルタ１５、２５が容器本体１２の注ぎ口１２４近傍に配置された紙器１、２について説明したが、フィルタ１５、２５の位置は注ぎ口１２４近傍に限定されない。例えばフィルタ１５、２５が、容器本体１２の中央部近傍に配置された構成であってもよい。
【００５７】
各実施の形態では、筒状であり底壁が無いホルダ１３、２３を有する構成について説明したが、ホルダの形状は、これに限定されるものではなく、底壁を有する構成であってもよい。
【００５８】
各実施の形態では、フィルタ１５、２５を備える構成について説明したが、これに限定されるものではなく、フィルタ１５、２５を備えない構成であってもよい。
【００５９】
以上、本発明の各実施の形態および変形例（なお書きに記載したものを含む。以下、同
様。）について説明したが、本発明はこれらに限定されるものではない。本発明は、実施
の形態及び変形例が適宜組み合わされたもの、それに適宜変更が加えられたものを含む。
【産業上の利用可能性】
【００６０】
本発明は、お茶、紅茶等を入れて使用するティーポットとして好適である。
【符号の説明】
【００６１】
１，２：紙器、１２：容器本体、１３，２３：ホルダ、１４，２４：蓋体、１５，２５：フィルタ、１５ａ，２５ａ，２１５３ａ：孔、１６，２６１，２６２：把手部、１２１，１４１，２４１：底壁、１２２，１２３，１３２，１４２，１４３，２３２，２４２，２４３：側壁、１２４：注ぎ口、１３１，２３１：ストッパ、１３２ａ，１３２ｂ，１４１ａ，１４１ｂ，１１２２ａ，１１３５ａ，２１３１ａ，２１４１ａ，２１５２ａ，２１５２ｂ，２１７１ａ：スリット、１３３：開口部（挿通部）、１４４，２４４：放出孔、１６１：第１把手片、１６１ａ，１６２ａ，１１３６ａ，１１３８ａ，１１４３ａ，１１４５ａ，２１４３ａ，２１７８ａ：係合スリット、１６１ｂ，１６２ｂ：係合部、１６２：第２把手片、２３３：切欠部、１０１２，１０１３，１０１４，１０１５，２０１３，２０１４，２０１５，２０１７：板紙、１１２１，１１３１，１１４１，１１５１，２１３１，２１４１，２１５１，２１６１，２１７１：主片、１１２２，１１２３，１１４２，１１５２，２１４２，２１５２：側片、１１２３ａ，２１５３ｂ：突起部、１１２４：突出片、１１２５：舌片、１１３２，１１３３，１１３５，２１３３，２１７２，２１７３：連結片、１１３３ａ：凹部、１１３４，１１３９，１１４４，１１４６，２１４４，２１５６，２１６３，２１７４，２１７５：係合片、１１３６，１１３７，１１３８，１１４０，１１４３，１１４５，２１３４，２１３５，２１３６，２１４３，２１５３，２１５４，２１５５，２１６２，２１７７，２１７８，２１７９：延出片、１１３８ｂ，１１４０ａ：係合孔、２０１６，２１７６：把手片、Ｃ０：中心、Ｃ１，Ｃ２，Ｃ３，Ｃ２３：角部、Ｇ１，Ｇ２，Ｇ３，Ｇ４，Ｇ５，Ｇ６，Ｇ７，Ｇ８，Ｇ９，Ｇ１０，Ｇ１１，Ｇ１２，Ｇ２６，Ｇ２７，Ｇ２９，Ｇ２１０，Ｇ２１１，Ｇ２１２，Ｇ２１３，Ｇ２１４，Ｇ２１５，Ｇ２１６，Ｇ２１７，Ｇ２１８，Ｇ２１９，Ｇ２２０，Ｇ２２１：折り溝、Ｊ１，Ｊ２，Ｊ３，Ｊ２２，Ｊ２３：筒軸、Ｓ１：第１領域、Ｓ２：第２領域
【図１】
2019026300.tif 000003
【図２】
2019026300.tif 000004
【図３】
2019026300.tif 000005
【図４】
2019026300.tif 000006
【図５】
2019026300.tif 000007
【図６】
2019026300.tif 000008
【図７】
2019026300.tif 000009